(57)【要約】【課題】植物成長抑制効果が確実にあり、しかも地山に対する施工性の優れた植物成長抑制マットと該マットの施工方法を提供すること。【解決手段】施工したい地山表面を薄く削り、その上にシート状部材１を地山表面に１０〜１００ｍｍ程度の厚みで流し込んで敷きならし、固まらないうちに複数の凸型面を多数備えた転圧機で押さえ付け、シート状部材１の表面に互いに独立した狭い開放空間を有する凹部であるセル２を複数形成して植物成長抑制マットとし、その上に少量の砂及び／又は土分を配する工法である。上記シート状部材１は単一粒径に近い小さい粒状体を少量のセメントなどで練って、ポーラス状にして水と空気は通すが、植物の根は進入できない目合いと強度を有するシートである。前記小さい粒状体とは、例えば砂、鉱滓、廃ゴム、廃プラ等なんでも良い。接着剤は合成樹脂、アスファルト乳剤、セメント等根の侵入に耐えられる強度があれば何でも良い。【選択図】図１
2007129959.tif 000002
【特許請求の範囲】
【請求項１】
多数の粒状物を接着した材料及び／又は繊維状物を接着させた材料を施工現場の地山表面に施工することで形成される、水と空気は通すが植物の根を貫通させない空隙を有する層と、当該層の表面に形成される、それぞれ独立した複数の独立した開放空間を有する凹部とを有することを特徴とする植物成長抑制マット。
【請求項２】
多数の粒状物を接着した材料及び／又は繊維状物を接着させた材料で施工現場の地山表面を覆うことで、水と空気は通すが植物の根を貫通させない空隙を有する層を形成し、当該層の表面を凸型部材で部分的に押圧して、前記層上にそれぞれ独立した複数の開放空間を有する凹部を形成して植物成長抑制マットとし、さらに前記層の上に砂及び／又は土分を配することを特徴とする植物成長抑制マットの施工方法。
【発明の詳細な説明】
【技術分野】
【０００１】
特定の地山における平坦地、緩斜面において植物の成長を物理的に調整し得る地山敷き込み用の植物成長抑制マット及び該マットの施工方法などに関する。
【背景技術】
【０００２】
自然の地山において人間と自然が共生する地域において草木等の植物が繁殖し過ぎて通行妨害、視認妨害及び景観支障を引き起こしている。  
従来のこれらの障害に対処する方法は草刈り又は除草剤を散布する方法が一般的である。その他に地山へコンクリート等を被覆することによって植物の根が地山表面に生息できないようにして植物を排除する方法、又は木の皮、木材チップ、マルチシートなどを地山表面に敷き込み、光を遮断して植物の成長のための光合成を止める方法又は地表面上の真砂土をセメント等で固め、植物の根の貫通抵抗を大きくして根を張りにくくする方法、更に砂利や砂で地表を被覆して水分や養分を地表に滞留させずに植物の発芽、成長を止める方法などがある。
【０００３】
また、本出願人は特許２７５６０９５号公報記載の植物成長抑制マットと該マットを利用する緑化工法を開発した。この植物成長抑制マットを利用する工法は自然の景観を残したままで、前記した課題を解決して草刈り等の維持管理を低減する方法である。図３に特許２７５６０９５号公報記載の植物成長抑制マットの平面図（図３（ａ））と一部断面図（図３（ｂ））を示す。また、図２（ａ）には地山の傾斜面に当該マットを施工した場合の状態を示し、図２（ｂ）には地山の平地に当該マットを施工した場合の状態を示す。
【０００４】
図３に示すように前記植物成長抑制マット１０は、地山の上に水と空気は通すが根は貫通できない防根シート１１を設け、その上に平面視で円形又は矩形などの狭い領域１４（以下セル１４と呼ぶ）に仕切り、植物の根の貫通しないセル壁１２を複数形成した網状体を接着して一体化したものである。
【０００５】
この植物成長抑制マット１０を地山にアンカー１３等で張り付けて表面に薄く砂及び／又は土１７をかぶせると、飛来してきたあるいは土中に潜む雑草種子が雨水を受けて発根、発芽するが、植物成長抑制マット１０の底面は防根シート１１で根の地面に対して垂直方向への伸張が抑制される。さらに防根シート１１上に形成される各セル１４はセル壁１２で仕切られるため植物の根が横方向に張り出しにくく、成長が抑制される。
【０００６】
この性状を有するマット１０を地表面１７ａの１〜２ｃｍ下に設置すると、セル１４の上方に配した土内の栄養分や水分はセル壁１２に遮断されて他のセル１４には供給されず、制約ない自然の地山で成長する植物より背高、太さが共に小さくなってしまう。このようにマット１０の上部の植物はセル１４の大きさによって大きく成長抑制を受け、さらにマット１０の下方の地中にある既存の植物は防根シート１１の光を通さない性状から光合成ができず成長を阻害されてしまう。
【０００７】
例えば、図２（ａ）に示すガードレール１８付きの道路、鉄道の沿線、宅地周り、緑地帯周り又は図２（ｂ）に示す平地の公園などの自然地山と人間の生活地との共生する特定部分に平面的に当該マット１０をアンカー１３で固定して配することで、草刈り等の多大な維持管理を低減することができる。さらに当該マット１０のセル１４内に砂及び／又は土１７を充填しているので、砂及び／又は土１７が表面に見え自然景観を害することが無く、また、除草剤を使う場合と比べて環境負荷が少ないというものである。
【特許文献１】特開平３−８００２５号公報
【特許文献２】特開平６−４６６７２号公報
【特許文献３】特許２７５６０９５号公報
【発明の開示】
【発明が解決しようとする課題】
【０００８】
前記従来から行われている、地山で植物の成長を抑制するための各種方法にはそれぞれ次のような問題点がある。  
繁殖し過ぎた草木は、草刈りを行うことで見栄えを良くするのが一般的であるが、夏日の暑い時期には大変な重労働であり、少子高齢化の昨今は労働人口が不足していることから草刈りの負担が大きい。また除草剤散布により草木を除く方法は、安価であるが薬剤による環境負荷が大きいことが問題視されている。さらにコンクリートブロック等で地表を被覆して草木の繁殖を抑えることは、確実であるがコスト面、景観面で問題がある。
【０００９】
また、木材チップ等で地表を被覆して草木の生育抑制を図る方法は経済的であり、景観も良いが、草木生育抑制効果がある年数が限られる。またこの方法ではタバコの投げ捨て等が原因で火災が起きる可能性が高い。さらに光を遮断するマルチシートを地表に張り付ける方法は、施工が簡単で経済的であるが、マルチシートが紫外線等により劣化破断し、飛散することまたはタバコ等による火災の発生の可能性があること、さらには景観上違和感があることなどから問題点が多い方法である。
【００１０】
また本出願人の発明になる特許第２７５６０９５号の植物成長抑制マット１０を利用する工法は自然の景観を残したままで前記した課題を解決して草刈り等の維持管理を低減する方法であるが、数々の実験の結果、地中の雑草の芽の繁殖力が強いと隣接位置にある当該マット１０，１０の張り合わせた部分からの光の漏れを雑草が探して立ち上がって来ることがある。さらにはアンカー１３をマット１０に差し込む時にできる穴の隙間からも雑草が立ち上がって来ていることがある。一度、雑草が光を受けると大きく成長し、当該マット１０を持ち上げることもあることが分かった。
【００１１】
さらに傾斜地面上に複数のマット１０を張り付けた際、マット１０上にある植物の根は垂直に伸張しようとする。その際、隣接したマット１０，１０の前記張り合わせ部分にできた隙間部分が地面から上方に向けてマット１０を貫通する隙間となり、この狭い隙間から雑草の根に水分、栄養分を多く補給できるため、マット１０上の植物より大きく成長する不具合があった。
【００１２】
また、マット１０を地山平面に施工する際に大量にマット１０を施工する必要がある場合には、マット１０の大きさが小さいと、施工面積に相当する多数個のマット１０を張り付ける必要があるために多くの手間がかかっていた。  
本発明の課題は、植物成長抑制効果が確実にあり、しかも地山（平坦地、地山切り取り後の地山斜面、盛り土した造成地の斜面など）に対する施工性の優れた植物成長抑制マットと該マットの施工方法を提供することである。
【課題を解決するための手段】
【００１３】
本発明の上記課題は次の解決手段により解決される。  
請求項１記載の発明は、多数の粒状物を接着した材料及び／又は繊維状物を接着させた材料を施工現場の地山表面に施工することで形成される、水と空気は通すが植物の根を貫通させない連続空隙を有する層と、当該層の表面に形成される、それぞれ独立した複数の独立した開放空間を有する凹部とを有する植物成長抑制マットである。
【００１４】
請求項２記載の発明は、多数の粒状物を接着した材料及び／又は繊維状物を接着させた材料で施工現場の地山表面を覆うことで、水と空気は通すが植物の根を貫通させない連続空隙を有する層を形成し、当該層の表面を凸型部材で部分的に押圧して、前記層上にそれぞれ独立した複数の開放空間を有する凹部を形成して植物成長抑制マットとし、さらに前記層の上に砂及び／又は土分を配することを特徴とする植物成長抑制マットの施工方法である。  
なお、本明細書の地山とは平坦地、地山切り取り後の地山傾斜面、盛土した造成地の傾斜面などをいう。
【発明の効果】
【００１５】
請求項１、２記載の発明によれば、地山の施工現場で地山敷き込み用の植物成長抑制マットを当該地山の凹凸面に沿った層状のマットで容易に、しかも２以上のマットを並べて配置することをほぼ避けることができるので、隣接する２つのマット間の隙間から植物がマット上に成長するおそれがない。
【００１６】
また、請求項１、２記載の発明によれば、マットの表面にそれぞれ独立した複数の凹部があるためにマット層上に配する砂及び／又は土分が流失することを防ぎ、植物成長抑制効果を長期間発揮できる。
【発明を実施するための最良の形態】
【００１７】
本発明の実施例について以下図面と共に説明する。  
【実施例１】
【００１８】
本発明の実施例を図面と共に説明する。    
本実施例は施工現場で、直接植物成長抑制マットを構築する実施例である。  
まず、施工したい地山表面を薄く削り、その上にシート状部材１を地山表面に１０〜１００ｍｍ程度の厚みで流し込んで敷きならす。このとき、必要によりシート状部材１の下又はシート状部材１の中に金網又は樹脂網を敷き入れることもある。シート状部材１が固まらないうちに図１の斜視図に示すように上から複数の凸型面を多数備えた転圧機（図示せず）で押さえ付けて、シート状部材１の表面に互いに独立した狭い開放空間を有する凹部であるセル２を複数形成して植物成長抑制マットとする。このセル２の大きさは成長抑制したい植物種にもよるので特定できないが、深さ５〜５０ｍｍ、セルの内寸法は直径１０〜５０ｍｍ程度で達成される。通常は深さ約２０ｍｍ、直径約２０ｍｍの内寸法で全体厚みは５０ｍｍ程度で実施している。一サイクルの施工幅は転圧機にもよるが１．５ｍ程度である。これをラップさせながら順次敷設する。その上に少量の砂及び／又は土分を厚み１〜３ｃｍ程度に配する。砂及び／又は土分の厚みはセル２の容積と共に植物の成長抑制程度の調整に使用されるので特定しない。
【００１９】
上記シート状部材１は単一粒径に近い小さい粒状体を少量のセメントなどで練って、ポーラス状にして水と空気は通すが、植物の根は進入できない目合いと強度を有するシート状の層をなすものである。このシート状部材１の層は、近年施工されるようになった既知の透水性舗装に類似した水と空気だけを通す構造を有するものである。本実施例ではシート状部材１の層は径２ｍｍのふるいに残る砕石砂を用い、少量のセメントを混入し、厚さ５ｃｍの層として、これを転圧機により転圧して連続空隙が残るようにして得た。前記連続空隙のシート状部材１の層全体に対する空隙率は１８％前後、曲げ強度２．０ｋｇ／ｍｍ2前後であった。
【００２０】
得られた植物成長抑制マットは水と空気は通し、植物の根は貫通できないものであった。一般的に根の貫通抵抗力を定義するのはむずかしいが、転圧した後、粒状体をセメントなどで硬化させて得られた植物成長抑制マットの針の貫通抵抗が１０ｋｇ以上、かつ透水係数が１．０×１０-2ｍｍ／ｓ以上であることが望ましい。また、マットの厚みも強度によるが３０ｍｍ以上が望ましい。前記小さい粒状体の材質は、例えば砂、鉱滓、廃ゴム又は廃プラスチック等を用いることができ、接着剤は常温硬化型のエポキシ樹脂、アクリル樹脂、その他の合成樹脂、アスファルト乳剤又はセメント等、植物の根の侵入に耐えられる強度があればその材質に制限はない。この粒状体と接着剤で連続空隙を持たせたポーラス状のシート状の層が、植物の根の貫通抵抗に耐える強度を確保する前に、前記転圧機による転圧により破断されてしまう薄さであったり、強度が足りない場合には、必要により、市販の樹脂網（市販品の例：クラレ（株）製の商品名Ｊグリッド）、金網等（図示しない）をシート状の層の中か下へ敷設しておくと破断を少なくできる。
【００２１】
すなわち、水と空気は通すが、根は進入できない密度にした単一粒径に近い砂など、粒状体からシート状部材１を地山に敷きならし、まだ固まらない内に凸型面を多数備えた転圧機でシート状部材１の表面から押さえることにより、このシート状部材１の表面に多数の凹部からなるセル２を形成させる。硬化後に得られたマットの各セル２の底と横壁が植物の根の進入を防ぎ、根域制限をなす狭いセル領域となる。さらに得られたマットの上に砂及び／又は土分を３ｃｍ以上の厚みで被覆すると完全に地山に密着し、人間が踏んでも違和感が少なくなる。
【００２２】
前記砂とは山砂、海砂、砕石砂、鉱滓、細砂利等の無機質分で多数の狭い開放空間であるセル２に入り込む粒径を有するものを言い、土分とは有機質分を含む微細粒径の無機質分をいうが、例えば無機質分としては真砂土、火山灰等も含み、さらに将来、土となりうる木材、雑草、樹皮等、あるいはこれらで作られたボード、マット状のものも含む。
【００２３】
当該土分の厚みはセル２のない箇所のシート部材１の高さも含めて１ｃｍから５ｃｍ程度に設定する。この厚みによってマットの植物成長抑制作用が調整される。実験によるとシート部材１の高さ１．５ｃｍに加えて高さ１ｃｍまでの被り真砂土を被せると、ほとんど芝類は生息できなかった。
【００２４】
使用する土分の種類、施工場所の降雨等の水分量にもよるが、この被り土分が薄くなれば植物の根の広がり成長も厳しく抑制され、反対に厚みが厚くなると抑制力が緩くなる。あるいはセル２の開放空間の大きさを大きくしたり、小さくしたりすることでも、植物成長抑制作用を調整することができる。
【００２５】
シート状部材１は透水性があるので雨水は透下する。しかし比較的平坦地はセル２内から砂及び／又は土分が流失しにくいが、地山の斜面に設ける場合、勢いのある雨等でセル２内から砂及び／又は土分が飛び出して流失するおそれがある。このような場合地表に野芝、匍匐系の張り芝を張ることでセル２内の土の流失度合いが減る。
【００２６】
また、前述の転圧機の凸型の押し板で押圧することでシート状部材１の層にできた凹部分をさらに削り取った部分を複数設け、まだ固まらないシート状部材１を押さえつけて、図１のシート状部材１の前記凹部分の内部に独立した突起を複数設けて、セル２の内側からセル外に溢れ出た砂及び／又は土分がマット上から流失するのを防止することができる。
【００２７】
植物種には色々な種類が存在し、主根が垂直に真下に伸びるもの、丸く全体にひげ根として広がるもの、横に這うように広がる匍匐型、地表面を覆うように広がるもの、乾燥に強いもの、弱いもの、地表の温度格差に強いもの等色々な種類があるので本実施例のマットを用いる工法による植物の根の領域制限の度合いで、ある程度植物の生息種類を制限できる。例えば根で越冬をする多年草は地表とシート状部材１の間隔が狭いと越冬し難いが、種で越冬する単年草は生育しやすい。また反対に多年草の匍匐型の野芝は横方向に根を伸ばしてセル２を乗り越えて当該環境でも生息しやすい。このようにセル２の大きさ、深さ、地表面と当該シート状部材１との間隔で植物種の成長を制限し、それでも、なおかつ生息する植物種の根を根域制限により成長を抑制し、生息数、背高を低くする。
【００２８】
このように当該マットを使用することによって大まかに植物種の成長をコントロールできるので、従来の自然のままの植物の過繁殖を防止でき、総体的に維持管理を長期的に低減できる。
【００２９】
また、本実施例のマットは、従来の複数の単位マット１０（図３）を張る時には必ず生じる単位マット１０ごとの切れ目がなくなり、植物成長抑制マットの植物成長抑制効果をより広い範囲で連続的にし、より自然に近い状態で前記効果を発揮することができる。
【００３０】
本実施例のマットを施工できれば施工性が良く、大量に安価で踏み心地の良い自然な植物成長抑制ができる反面、地山に接するシート状部材１が現場敷きならしとなるため、機械の搬入等比較的広い場所が必要となる。
【産業上の利用可能性】
【００３１】
本発明のマットを用いる工法は、道路、鉄道の沿線、宅地周辺の草刈り等の維持管理を減らす他、農業、林業、庭園等で本来生育させたい植物を残してその周りに施工することで周りの雑草に地中の栄養分を取られず、地中の水分の過蒸散を押さえて生育させたい植物の成長を促進することができる。また、山を当該工法によって仕切ることによって、山火事の防火帯、木材の搬出通路にも利用できる可能性がある。
【図面の簡単な説明】
【００３２】
【図１】本発明の実施例の植物成長抑制マットの斜視図である。
【図２】植物成長抑制マットの地山傾斜面への施工状態を説明する図（図２（ａ））と地山平地面への施工状態を説明する図（図２（ｂ））である。
【図３】従来技術の植物成長抑制マットの平面図（図３（ａ））と断面図（図３（ｂ））である。
【符号の説明】
【００３３】
１  シート状部材        ２  セル
【図１】
2007129959.tif 000003
【図２】
2007129959.tif 000004
【図３】
2007129959.tif 000005